(57)【要約】【課題】  スラリー状液体に含まれる固形物の沈降し易さ・浮上し易さに応じて、スラリー状液体の効率のよい濃縮処理が可能な濃縮装置を提供する。【解決手段】  汚泥濃縮装置１は、汚泥の温度を検知する温度センサ３ｂと、汚泥が導入され、汚泥液面に浮上した固形物を回収する浮上物回収部と、導入されたスラリー状液体の下部に沈降した固形物を回収する沈降物回収部と、を有する濃縮槽７と、濃縮槽７に汚泥を加圧状態又は非加圧状態で投入する加圧槽５と、温度センサ３ｂで検知された汚泥の温度に基づいて、汚泥を加圧状態で投入するか非加圧状態で投入するかを選択し、選択した投入方法で汚泥を濃縮槽に投入するように加圧槽５を制御する制御部２３と、を備えている。【選択図】  図１
2007014900.tif 000002
【特許請求の範囲】
【請求項１】
固形物を含有するスラリー状液体を濃縮する濃縮装置において、
前記スラリー状液体の性状を検知する性状検知部と、
導入した前記スラリー状液体の液面に浮上した前記固形物を回収する浮上物回収部と、導入した前記スラリー状液体の下部に沈降した前記固形物を回収する沈降物回収部と、を有する濃縮槽と、
前記濃縮槽に前記スラリー状液体を加圧状態又は非加圧状態で投入するスラリー投入部と、
前記性状検知部で検知された前記スラリー状液体の性状に基づいて、前記スラリー状液体を加圧状態で投入するか非加圧状態で投入するかを選択し、選択した投入方法で前記スラリー状液体を前記濃縮槽に投入するように前記スラリー投入部を制御するスラリー投入制御部と、を備えたことを特徴とする濃縮装置。
【請求項２】
前記性状検知部は、
前記スラリー状液体の性状として、前記スラリー状液体の温度を検知し、
前記スラリー投入制御部は、
前記性状検知部で検知された前記スラリー状液体の温度に基づいて、前記スラリー状液体を加圧状態で投入するか非加圧状態で投入するかを選択することを特徴とする請求項１に記載の濃縮装置。
【請求項３】
前記スラリー投入制御部は、
前記性状検知部で検知された前記スラリー状液体の温度が所定の閾値以上の場合には、前記スラリー状液体を加圧状態で前記濃縮槽に投入するように前記スラリー投入部を制御し、
前記性状検知部で検知された前記スラリー状液体の温度が前記所定の閾値未満の場合には、前記スラリー状液体を非加圧状態で前記濃縮槽に投入するように前記スラリー投入部を制御することを特徴とする請求項２に記載の濃縮装置。
【請求項４】
固形物を含有するスラリー状液体を濃縮する濃縮装置において、
前記スラリー状液体の性状を検知する性状検知部と、
導入した前記スラリー状液体の液面に浮上した前記固形物を回収する浮上物回収部と、導入した前記スラリー状液体の下部に沈降した前記固形物を回収する沈降物回収部と、を有する濃縮槽と、
前記濃縮槽に前記スラリー状液体を投入するとき、前記濃縮槽に加圧状態の水を投入することが可能な加圧水投入部と、
前記性状検知部で検知された前記スラリー状液体の性状に基づいて、前記スラリー状液体と一緒に加圧状態の水を投入するか否かを選択し、前記加圧水投入部を制御する水投入制御部と、を備えたことを特徴とする濃縮装置。
【請求項５】
前記性状検知部は、
前記スラリー状液体の性状として、前記スラリー状液体の温度を検知し、
前記水投入制御部は、
前記性状検知部で検知された前記スラリー状液体の温度に基づいて、前記加圧状態の水を投入するか否かを選択することを特徴とする請求項４に記載の濃縮装置。
【請求項６】
前記水投入制御部は、
前記性状検知部で検知された前記スラリー状液体の温度が所定の閾値以上の場合には、前記加圧状態の水を前記濃縮槽に投入するように前記加圧水投入部を制御し、
前記性状検知部で検知された前記スラリー状液体の温度が前記所定の閾値未満の場合には、前記加圧状態の水を前記濃縮槽に投入しないように前記加圧水投入部を制御することを特徴とする請求項５に記載の濃縮装置。
【請求項７】
前記スラリー状液体は、有機性廃水の生物処理によって発生する汚泥であることを特徴とする請求項１〜６の何れか１項に記載の濃縮装置。
【発明の詳細な説明】
【技術分野】
【０００１】
本発明は、固形物を含有するスラリー状液体を濃縮する濃縮装置に関するものである。
【背景技術】
【０００２】
従来から、有機性排水の生物処理によって発生した汚泥を処理する際、汚泥の容積を小さくするための脱水処理が行われている。この脱水処理の脱水装置を小容量化するため、脱水処理の前には、汚泥を予め濃縮することが好ましい。このような場合の汚泥濃縮の技術として、下記特許文献１に記載の加圧浮上濃縮装置が知られている。この装置は、スラリー状液体である汚泥を加圧状態で濃縮槽に導入し、大気圧下の濃縮槽内で気泡を発生させ、その気泡の浮力によって汚泥に含まれる固形物を液面に浮上させ濃縮するものである。
【特許文献１】特開平９−１６４３８４号公報
【発明の開示】
【発明が解決しようとする課題】
【０００３】
しかしながら、汚泥の性状によっては、含まれる固形物が浮上し難い（沈降し易い）場合もある。このような場合には、固形物を浮上させるために大量の加圧空気が必要となるため、ランニングコストが大きくなるという問題がある。
【０００４】
一方、他の濃縮の方法としては、汚泥の固形物を重力沈降によって濃縮する方法も考えられるが、汚泥の性状によっては、含まれる固形物が沈降し難い（浮上し易い）場合もあり、このような場合には、重力濃縮では効率のよい汚泥の濃縮ができない。
【０００５】
そこで、本発明は、スラリー状液体に含まれる固形物の沈降し易さ・浮上し易さに応じて、スラリー状液体の効率のよい濃縮処理が可能な濃縮装置を提供することを目的とする。
【課題を解決するための手段】
【０００６】
本発明に係る濃縮装置は、固形物を含有するスラリー状液体を濃縮する濃縮装置において、スラリー状液体の性状を検知する性状検知部と、導入したスラリー状液体の液面に浮上した固形物を回収する浮上物回収部と、導入したスラリー状液体の下部に沈降した固形物を回収する沈降物回収部と、を有する濃縮槽と、濃縮槽にスラリー状液体を加圧状態又は非加圧状態で投入するスラリー投入部と、性状検知部で検知されたスラリー状液体の性状に基づいて、スラリー状液体を加圧状態で投入するか非加圧状態で投入するかを選択し、選択した投入方法でスラリー状液体を濃縮槽に投入するようにスラリー投入部を制御するスラリー投入制御部と、を備えたことを特徴とする。
【０００７】
この濃縮装置では、濃縮処理の処理対象であるスラリー状液体の性状が、性状検知部によって検知される。そして、スラリー投入制御部は、スラリー状液体の性状に基づいて、濃縮槽にスラリー状液体を投入する際に、加圧状態で投入するか非加圧状態で投入するかを選択する。そして、選択された何れかの投入方法をもって、スラリー状液体が投入されるようにスラリー投入部を制御する。
【０００８】
ここで、スラリー状液体が加圧状態で濃縮槽に投入された場合、まず、投入前の加圧状態でスラリー状液体に空気が溶解し、このスラリー状液体が濃縮槽に投入されることになる。濃縮槽内では、投入されたスラリー状液体中に溶解していた空気が気泡化し、この気泡がスラリー状液体に含まれる固形物に付着し、浮力によって固形物が浮上することになる。そして、液面に浮上した固形物は、浮上物回収部により、濃縮物として回収される。すなわち、この場合、スラリー状液体が加圧状態で濃縮槽に投入されることで、濃縮槽では、いわゆる加圧浮上濃縮法による濃縮が行われることになる。
【０００９】
一方、スラリー状液体が非加圧状態で濃縮槽に投入された場合、スラリー状液体中の固形物は、重力によって濃縮槽の下部に沈降することになる。そして、下部に沈降した固形物は、沈降物回収部により、濃縮物として回収される。すなわち、この場合、スラリー状液体が非加圧状態で濃縮槽に投入されることで、濃縮槽では、いわゆる重力濃縮法による濃縮が行われることになる。
【００１０】
このように、スラリー状液体の投入方法を選択することによって、濃縮槽における加圧浮上濃縮法又は重力濃縮法の何れかの濃縮処理法による処理を選択的に行わせることができる。そして、この濃縮装置においては、投入方法を選択する際に、スラリー状液体の性状を基準にしている。ここで、固形物の沈降し易さ・浮上し易さと相関関係があるスラリー状液体の性状を、上記の選択基準として採用すれば、固形物が浮上し易いときには加圧浮上濃縮法によって固形物を浮上させて回収し、固形物が沈降し易い時には、重力濃縮法によって固形物を沈降させて回収するといった選択が自動的に行われることになる。従って、この濃縮装置によれば、スラリー状液体の沈降し易さ・浮上し易さに応じて、自動的に効率のよい濃縮を行うことができる。
【００１１】
また、性状検知部は、スラリー状液体の性状として、スラリー状液体の温度を検知し、スラリー投入制御部は、性状検知部で検知されたスラリー状液体の温度に基づいて、スラリー状液体を加圧状態で投入するか非加圧状態で投入するかを選択することが好ましい。
【００１２】
スラリー状液体の温度が高いほど、スラリー状液体中のメタン菌や脱窒菌の活性は高くなり、より多くのメタンガスや窒素ガスを発生するようになる。そして、発生したこれらの気体がスラリー状液体に含まれる固形物に付着するので、固形物はより浮上し易くなる。逆に、スラリー状液体の温度が低いほど、菌の活性が低く、発生する気体が少ないので、固形物は沈降し易くなる。このように、スラリー状液体の温度は、固形物の沈降し易さ・浮上し易さと相関関係があるので、上記投入方法の選択基準として採用すれば、スラリー状液体における固形物の沈降し易さ・浮上し易さに応じて、自動的に効率のよい濃縮方法が選択されることになる。
【００１３】
また、上記作用を効果的に奏するため、スラリー投入制御部は、性状検知部で検知されたスラリー状液体の温度が所定の閾値以上の場合には、スラリー状液体を加圧状態で濃縮槽に投入するようにスラリー投入部を制御し、性状検知部で検知されたスラリー状液体の温度が所定の閾値未満の場合には、スラリー状液体を非加圧状態で濃縮槽に投入するようにスラリー投入部を制御することが好ましい。
【００１４】
また、本発明に係る濃縮装置は、固形物を含有するスラリー状液体を濃縮する濃縮装置において、スラリー状液体の性状を検知する性状検知部と、導入したスラリー状液体の液面に浮上した固形物を回収する浮上物回収部と、導入したスラリー状液体の下部に沈降した固形物を回収する沈降物回収部と、を有する濃縮槽と、濃縮槽にスラリー状液体を投入するとき、濃縮槽に加圧状態の水を投入することが可能な加圧水投入部と、性状検知部で検知されたスラリー状液体の性状に基づいて、スラリー状液体と一緒に加圧状態の水を投入するか否かを選択し、加圧水投入部を制御する水投入制御部と、を備えたことを特徴とする。
【００１５】
この濃縮装置では、濃縮処理の処理対象であるスラリー状液体の性状が、性状検知部によって検知される。そして、水投入制御部は、スラリー状液体の性状に基づいて、濃縮槽に加圧状態の水を投入するか否かを選択し、濃縮槽にスラリー状液体が投入される際に加圧水を投入することが可能である。
【００１６】
ここで、加圧水投入部から加圧状態の水が濃縮槽に投入された場合、まず、投入前の加圧状態で水に空気が溶解し、空気が熔解した水がスラリー状液体と一緒に濃縮槽に投入されることになる。濃縮槽内では、投入された水に溶解していた空気が気泡化し、この気泡がスラリー状液体に含まれる固形物に付着し、浮力によって固形物が浮上することになる。そして、液面に浮上した固形物は、浮上物回収部により、濃縮物として回収される。すなわち、この場合、スラリー状液体と一緒に加圧状態の水が濃縮槽に投入されることで、濃縮槽では、いわゆる加圧浮上濃縮法による濃縮が行われることになる。
【００１７】
一方、加圧状態の水が濃縮槽に投入されない場合、投入されたスラリー状液体中の固形物は、重力によって濃縮槽の下部に沈降することになる。そして、下部に沈降した固形物は、沈降物回収部により、濃縮物として回収される。すなわち、この場合、濃縮槽では、いわゆる重力濃縮法による濃縮が行われることになる。
【００１８】
このように、加圧状態の水を投入するか否かを選択することによって、濃縮槽における加圧浮上濃縮法又は重力濃縮法の何れかの濃縮処理法による処理を選択的に行わせることができる。そして、この濃縮装置においては、投入方法を選択する際に、スラリー状液体の性状を基準にしている。ここで、固形物の沈降し易さ・浮上し易さと相関関係があるスラリー状液体の性状を、上記の選択基準として採用すれば、固形物が浮上し易いときには加圧浮上濃縮法によって固形物を浮上させて回収し、固形物が沈降し易い時には、重力濃縮法によって固形物を沈降させて回収するといった選択が自動的に行われることになる。従って、この濃縮装置によれば、スラリー状液体の沈降し易さ・浮上し易さに応じて、自動的に効率のよい濃縮を行うことができる。
【００１９】
また、性状検知部は、スラリー状液体の性状として、スラリー状液体の温度を検知し、水投入制御部は、性状検知部で検知されたスラリー状液体の温度に基づいて、加圧状態の水を投入するか否かを選択することが好ましい。
【００２０】
スラリー状液体の温度が高いほど、スラリー状液体中のメタン菌や脱窒菌の活性は高くなり、より多くのメタンガスや窒素ガスを発生するようになる。そして、発生したこれらの気体がスラリー状液体に含まれる固形物に付着するので、固形物はより浮上し易くなる。逆に、スラリー状液体の温度が低いほど、菌の活性が低く、発生する気体が少ないので、固形物は沈降し易くなる。このように、スラリー状液体の温度は、固形物の沈降し易さ・浮上し易さと相関関係があるので、上記投入方法の選択基準として採用すれば、スラリー状液体における固形物の沈降し易さ・浮上し易さに応じて、自動的に効率のよい濃縮方法が選択されることになる。
【００２１】
また、上記作用を効果的に奏するため、水投入制御部は、性状検知部で検知されたスラリー状液体の温度が所定の閾値以上の場合には、加圧状態の水を濃縮槽に投入するように加圧水投入部を制御し、性状検知部で検知されたスラリー状液体の温度が所定の閾値未満の場合には、加圧状態の水を濃縮槽に投入しないように加圧水投入部を制御することが好ましい。
【００２２】
また、本発明に係る濃縮装置において、スラリー状液体は、有機性廃水の生物処理によって発生する汚泥であることが好適である。
【発明の効果】
【００２３】
本発明の濃縮装置によれば、スラリー状液体の性状に応じて、スラリー状液体の効率のよい濃縮処理が可能となる。
【発明を実施するための最良の形態】
【００２４】
以下、図面を参照しつつ本発明に係る濃縮装置の好適な実施形態について詳細に説明する。
【００２５】
（第１実施形態）
図１に示す汚泥濃縮装置１は、有機性排水の生物処理において発生した汚泥（スラリー状液体）を導入し、この汚泥に含まれる固形物と上澄み液とを固液分離し濃縮するための濃縮装置である。前段の有機性排水処理装置（図示せず）からラインＬ１を通じて導入された汚泥は、まず、汚泥貯留槽３に貯留され、汚泥攪拌機３ａによって緩速撹拌される。撹拌されて濃度が均一になった汚泥は、汚泥供給ポンプｐ１によってラインＬ２を通じて加圧槽（スラリー投入部）５に送られ、この加圧槽５からラインＬ３を通じて濃縮槽７に投入される。
【００２６】
濃縮槽７は、円形断面をなし、濃縮槽７の内部空間は、導入された汚泥を貯留するための貯留空間７ｒを構成している。そして、貯留空間７ｒの上部には、貯留された汚泥の液面付近となる位置にスキンマー９が設けられている。汚泥の液面に浮上した固形物は、駆動装置１１を駆動源として回転するスキンマー９によって掻き寄せられ、貯留空間７ｒの上部に設けられたフロートボックス１３に落下する。フロートボックス１３内の固形物は、フロートボックス１３の底部に設けられた掻き出し装置１５によってフロス槽１７に集められた後、浮上汚泥引き抜きラインＬ１３を通じ濃縮汚泥として回収される。このように、スキンマー９、フロートボックス１３、掻き出し装置１５、及びフロス槽１７は、汚泥液面に浮上した固形物を回収する浮上物回収部として機能する。
【００２７】
更に、濃縮槽７の貯留空間７ｒの下部には、沈降した固形物を掻き寄せるレーキ２１が設けられている。下部に沈降した固形物は、レーキ２１の緩速回転によって沈降が加速されて濃縮槽７底部の勾配によって中心部に集められ、濃縮槽７底部に形成されたコーン部７ｄに集められる。そして、固形物は、コーン部７ｄの底部に設けられた重力濃縮汚泥引き抜きラインＬ１４を通じ濃縮汚泥として回収される。このように、レーキ２１及びコーン部７ｄは、汚泥の下部に沈降した固形物を回収する沈降物回収部として機能する。なお、上記ラインＬ１３又はＬ１４から回収された上記濃縮汚泥は、後段において、図示しない脱水装置による脱水処理で含水率を低下させた後、焼却処分される。以上のように、濃縮槽７は、汚泥液面に浮上した固形物、汚泥下部に沈降した固形物の何れをも回収可能であるように構成されている。
【００２８】
ここで、濃縮槽７に投入される汚泥の温度が高い場合には、汚泥中に含まれるメタン菌や脱窒菌の活性が高いため、貯留空間７ｒの汚泥中では、これらの菌の働きでメタンガスや窒素ガスが発生し気泡が多く生じている。この気泡が、汚泥中の固形物に付着するので、固形物は、貯留空間７ｒにおいて浮上し易い状態となっている。逆に、汚泥の温度が低い場合には、汚泥中のメタン菌や脱窒菌の活性が比較的低いため、固形物は、貯留空間７ｒにおいて沈降し易い状態となっている。このように、汚泥の温度によって、固形物が沈降し易い場合と浮上し易い場合とがあるので、この汚泥濃縮装置１においては、固形物の沈降し易さ・浮上し易さに応じて、固形物が沈降し易い場合には、固形物を汚泥の下部に沈降させて回収し、固形物が浮上し易い場合には、固形物を汚泥の液面に浮上させて回収することが好ましい。
【００２９】
そこで、汚泥濃縮装置１では、汚泥の温度がある閾値以上の場合には、汚泥中の固形物が比較的浮上し易いものとして、汚泥を浮上させて回収することとし、汚泥の温度が閾値未満の場合には、汚泥中の固形物が比較的沈降し易いものとして、汚泥を沈降させて回収することとしている。
【００３０】
このような制御を可能にすべく、濃縮装置１においては、汚泥貯留槽３には、汚泥の温度を計測するための温度センサ（性状検知部）３ｂと、加圧槽５を制御するパソコン等からなる制御部（スラリー投入制御部）２３とが設けられている。温度センサ３ｂは、計測した温度を電気信号として制御部２３に送信し、制御部２３は、受信した汚泥の温度と閾値との大小比較を行う。そして、制御部２３は、大小比較の結果に応じて、濃縮槽７に投入する汚泥を、加圧槽５で空気と一緒に３〜４気圧程度に加圧し加圧状態で投入するか、加圧せず非加圧状態で投入するかを選択し、加圧槽５に電気信号を送ることで加圧槽５の動作を制御する。
【００３１】
この場合の具体的な汚泥の温度の閾値としては、２０〜２２℃の値を採用すると好適であることが、本発明者らの種々の実験により判明しており、ここでは、閾値として２０℃を採用している。
【００３２】
すなわち、温度センサ３ｂで測定された汚泥の温度が２０℃以上の場合には、汚泥中の固形物は浮上し易い状態であるので、制御部２３は、ラインＬ２からの汚泥を空気と一緒に加圧槽５で加圧して、ラインＬ３を通じて濃縮槽７に投入するように、加圧槽５を制御する。この場合、加圧槽５における汚泥の加圧の時に、汚泥と一緒に加圧された空気が汚泥に溶解する。そして、濃縮槽７のフィールドウェル２７を介して貯留空間７ｒの中心部に投入された汚泥が、大気圧下に解放されることで、汚泥に溶解していた空気が汚泥中で気泡化する。この気泡が汚泥中の固形物に付着するので、固形物は、その気泡の浮力によって汚泥液面まで浮上する。そして、浮上した固形物は、上述した浮上物回収部によって濃縮物として回収される。すなわち、この場合、いわゆる加圧浮上濃縮法による汚泥の濃縮が行われることになる。なお、汚泥中の液体成分は、オーバフローして濃縮槽７の上部に設けられた集合溝７ｂに集められ、シーリング水として使用されたり、所定の処理の後、河川等に放流されたりする。
【００３３】
一方、温度センサ３ｂで測定された汚泥の温度が２０℃未満の場合には、汚泥中の固形物は沈降し易い状態であるので、制御部２３は、ラインＬ２からの汚泥を加圧槽５で加圧せずに、ラインＬ３を通じて濃縮槽７に投入するように、加圧槽５を制御する。この場合、フィールドウェル２７を介して貯留空間７ｒに投入された汚泥は、重力沈降によって固形物と上澄みとに分離され、固形物が汚泥の下部に沈降することになる。そして、沈降した固形物は、上述した沈降物回収部によって濃縮物として回収される。すなわち、この場合、いわゆる重力濃縮法による汚泥の濃縮が行われることになる。なお、分離された上澄みは、オーバフローして濃縮槽７の上部に設けられた集合溝７ｂに集められ、シーリング水として使用されたり、所定の処理の後、河川等に放流されたりする。
【００３４】
以上のように、このような汚泥濃縮装置１によれば、汚泥中の固形物が浮上し易いときには加圧浮上濃縮法によって固形物を浮上させて回収し、固形物が沈降し易いときには、重力濃縮法によって固形物を沈降させて回収するといった選択が自動的に行われることになる。従って、この汚泥濃縮装置１によれば、汚泥の固形物の沈降し易さ・浮上し易さに応じて、自動的に効率がよい汚泥の濃縮を行うことができる。また、汚泥濃縮装置１が備える濃縮槽７は、汚泥液面に浮上した固形物、汚泥下部に沈降した固形物の何れをも回収可能であるように構成されているので、重力濃縮法及び加圧浮上濃縮法の双方の濃縮方法に用いることができる。よって、汚泥濃縮装置１では、重力濃縮槽と加圧浮上濃縮槽とを別々に備える場合に比して、設置スペースを小さくすることができる。
【００３５】
（第２実施形態）
図２に示す汚泥濃縮装置２は、汚泥濃縮装置１とは異なり、汚泥を加圧する加圧槽５に代えて、処理水を加圧して濃縮槽７に投入することが可能な処理水加圧槽（加圧水投入部）６を備えている。また、汚泥濃縮装置１における制御部２３に代えて、汚泥濃縮装置２は、処理水加圧槽６の動作を制御する水投入制御部２４を備えている。以下、汚泥濃縮装置２において、上述の汚泥濃縮装置１と同一又は同等な構成部分には同一符号を付し、重複する説明を省略する。
【００３６】
汚泥濃縮装置２において、濃縮槽７の集合溝７ｂに集められた処理水は、ラインＬ４を通じて処理水加圧槽６に送られる。処理水加圧槽６は、導入された処理水を、空気と一緒に３〜４気圧程度に加圧し、加圧水として濃縮槽７のフィールドウェル２７に投入することが可能である。
【００３７】
水投入制御部２４は、温度センサ３ｂからの電気信号を受け、温度センサ３ｂで測定された汚泥の温度が２０℃以上の場合には、ラインＬ４からの処理水を処理水加圧槽６で加圧し、ラインＬ５を通じて濃縮槽７に投入するように、処理水加圧槽６を制御する。この場合、処理水加圧槽６における処理水の加圧の時に、処理水と一緒に加圧された空気が処理水に溶解する。そして、濃縮槽７のフィールドウェル２７を介して貯留空間７ｒの中心部に投入された処理水が、大気圧下に解放されることで、処理水に溶解していた空気が汚泥中で気泡化する。この気泡が、貯留空間７ｒ中の汚泥に含まれる固形物に付着するので、固形物は、その気泡の浮力によって汚泥液面まで浮上する。そして、浮上した固形物は、上述した浮上物回収部によって濃縮物として回収される。すなわち、この場合、いわゆる循環加圧法の加圧浮上濃縮法による汚泥の濃縮が行われることになる。
【００３８】
一方、温度センサ３ｂで測定された汚泥の温度が２０℃未満の場合には、水投入制御部２４は、処理水を濃縮槽７に投入しない。この場合、ラインＬ３及びフィールドウェル２７を介して貯留空間７ｒに投入された汚泥は、重力沈降によって固形物と上澄みとに分離され、固形物が汚泥の下部に沈降することになる。そして、沈降した固形物は、上述した沈降物回収部によって濃縮物として回収される。すなわち、この場合、いわゆる重力濃縮法による汚泥の濃縮が行われることになる。
【００３９】
以上のように、このような汚泥濃縮装置２によって、汚泥中の固形物が浮上し易いときには加圧浮上濃縮法によって固形物を浮上させて回収し、固形物が沈降し易いときには、重力濃縮法によって固形物を沈降させて回収するといった選択が自動的に行われることになる。従って、この汚泥濃縮装置２によっても、汚泥の固形物の沈降し易さ・浮上し易さに応じて、自動的に効率がよい汚泥の濃縮を行うことができる。また、汚泥濃縮装置１と同様に、設置スペースを小さくすることも可能である。
【００４０】
本発明は、前述した実施形態に限定されるものではない。例えば、上記第１実施形態では、濃縮槽７に汚泥を加圧状態で投入する方法として、汚泥の全量を加圧槽５で加圧する全量加圧法を採用しているが、汚泥の一部のみを加圧して投入する部分加圧法を採用してもよい。
【００４１】
また、上記第１及び第２実施形態では、汚泥又は水の投入方法の選択基準として、汚泥の温度を採用しているが、汚泥のｐＨ、汚泥中の固形物濃度、液体成分と浮上固形物との比重差、又は浮上固形物の粒度分布等を選択基準としてもよい。
【図面の簡単な説明】
【００４２】
【図１】本発明に係る濃縮装置の第１実施形態を示す概要図である。
【図２】本発明に係る濃縮装置の第２実施形態を示す概要図である。
【符号の説明】
【００４３】
１，２…汚泥濃縮装置、３ｂ…温度センサ（性状検知部）、５…加圧槽（スラリー投入部）、６…処理水加圧槽（加圧水投入部）、７…濃縮槽、７ｄ…コーン部（沈降物回収部）、９…スキマー（浮上物回収部）、１３…フロートボックス（浮上物回収部）、１５…掻き取り装置（浮上物回収部）、１７…フロス槽（浮上物回収部）、２１…レーキ（沈降物回収部）、２３…制御部（スラリー投入制御部）、２４…水投入制御部。
【図１】
2007014900.tif 000003
【図２】
2007014900.tif 000004